(57)【要約】【課題】  著作権を侵害することなくマイク音声と伴奏を同時に再生することができ、低コストで構成可能な音声記録再生装置を提供する。【解決手段】    マイク２、アンプ３、音声ＡＤ４、マイク音声エンコーダ５を介してのマイク音声データを音声記録エンコーダ１９ａが直接入力して記録時にマイコン３１がメモリＩＦ１３ａを制御してメモリｂに記録させると共に選択回路２３を制御して、このマイク音声データを出力してデコーダ１４ａからの伴奏データとミキサ１０で合成してスピーカから流させる。また、録音再生には、メモリｂからのマイク音声データｄを音声再生デコーダ２１ａから送出させると共に、選択回路２３ａの出力をマイク音声データｄとして出力してメモリａの伴奏データと合成させてスピーカ９から流させる。【選択図】      図１
2005189535.tif 000002
【特許請求の範囲】
【請求項１】
伴奏データ、歌詞データ及び画像データを含むカラオケ情報をメモリする第１のメモリと、マイクロフォンを介した音声データをデータ圧縮して第２のメモリにメモリするためのマイク音声エンコーダと、音声エンコード後の音声データをデータ伸張して再生する音声再生デコーダと、前記音声データ及び伴奏データをアナログ変換して合成してスピーカに送出するオーディオ部と、前記画像データ及び歌詞データをアナログ変換して合成してディスプレイに表示させる画像表示部とを有する音声記録再生装置において、
前記マイク音声エンコーダからの前記マイク音声データをエンコードして出力するマイク音声記録エンコーダと、
前記伴奏データ、歌詞データ及び画像データをデコードし、前記伴奏データは前記オーディオ部に、前記歌詞データ及び画像データは前記画像表示部に出力するデータデコーダと、
前記第２のメモリからのマイク音声データをデコードして、出力する音声再生デコーダと、
前記第１及び第２のメモリと前記マイク音声エンコーダと前記マイク音声記録エンコーダと前記マイク音声再生デコーダとの間に設けられ、読出し、前記第１及び第２のメモリのデータに対して書き込み及び出力の制御を行うメモリ制御部と、
前記マイク音声エンコーダからのマイク音声データを前記音声記録エンコーダと共に入力する一方、前記音声再生デコーダからのマイク音声データを入力し、入力する選択指示に基づいて、いずれか一方のマイク音声データを前記オーディオ部に送出する選択回路と、
記録指示の入力に伴って、前記メモリ制御部を制御して前記音声記録エンコーダからのマイク音声データを前記第２のメモリに記録させると共に、前記選択回路の出力を前記マイク音声エンコーダからのマイク音声データで出力させる前記選択指示を出力する手段と、
再生指示が入力したときは、前記第１のメモリから該当のマイク音声データを読出し、該読出しに同期して、そのマイク音声データに対応する前記伴奏データを読出し、前記データデコーダに前記カラオケデータ情報を送出させると共に、前記選択回路の出力を、前記音声再生デコーダからのマイク音声データで出力させる前記選択指示を出力する手段と
を有することを特徴とする音声記録再生装置。
【発明の詳細な説明】
【技術分野】
【０００１】
本発明は、伴奏、歌詞、画像を記憶したメモリとは異なるメモリにマイク音声を記録し、再生時にはこのメモリの音声と、伴奏とを再生可能とする音声記録再生装置に関する。
【背景技術】
【０００２】
従来の音声記録再生装置のうち、特にカラオケ装置において、カラオケの反復練習のために自分が歌った歌を伴奏と共に記録したり、あるいはカラオケを歌った記念に歌唱時の音声を伴奏と共に記録したいという需要が存在する。
【０００３】
ところが、著作権保護の観点からカラオケ装置が所有（再生）する伴奏の記録は一般に制限されている。このように著作権で保護された伴奏の記録は制限されてはいるものの、例えば、カラオケ装置の伴奏データに記録可(コピー可)の情報が記載されている場合に限って、その伴奏の記録を可能にするカラオケ装置が存在している。このような記録再生機能を備えたカラオケ装置としては、例えば特許文献１に示すようなカラオケ装置が知られている。
【０００４】
図５に、記録再生可能なカラオケ装置１の概略構成図を示す。このカラオケ装置１は、マイク２と、アンプ３と、音声Ａ／Ｄ４と、マイク音声エンコーダ５と、音声Ｄ／Ａ５と、伴奏Ｄ／Ａ７と、ミキサ１０と、アンプ８、とスピーカ９とを備えている。
【０００５】
また、メモリａと、メモリｂと、メモリＩ／Ｆ１３と、データデコーダ１４と、歌詞Ｄ／Ａ１５と、画像Ｄ／Ａ１６と、ミキサ１７と、ディスプレィ１８と、音声記録エンコーダ１４と、音声記録エンコーダ１９と、音声記録Ａ／Ｄ２０と、音声再生デコーダ２１と、音声再生Ｄ／Ａ２２と、選択回路２３と、マイコン２４と、操作部２５（リモコンでもよい）とを備えている。
【０００６】
図中のメモリａにはカラオケ伴奏、歌詞、画像を互いに同期して再生可能な伴奏データ、歌詞データ、画像データがそれぞれ記録されており、メモリｂには録音時の情報が記憶される。
【０００７】
前述の選択回路２３は、マイコン２４によって制御され、出力Ａ信号を、入力信号Ｂ又は入力Ｄ信号に切り換える。また、記録時には記録出力Ｃを入力信号Ｂに切り換える。また、ディスプレイ１８には、伴奏に同期した歌詞や画像が表示される。操作部２５では、伴奏の再生におけるキーやピッチ、通常のカラオケ伴奏、記録した記録データの再生の選択などが使用者によって操作される。
【０００８】
上記のカラオケ装置は、操作部２５が操作されることにより、マイコン（システムコントローラ）２４がその操作内容に従い、データデコーダ（再生データ信号処理部）１４や選択回路２３などの制御を実行する。このデータデコーダ１４では、カラオケの伴奏、歌詞、画像を互いに同期して再生させ、さらに再生時のキーやピッチを必要に応じて可変するための処理を実行する。
【０００９】
また、選択回路２３における動作は、通常のカラオケ伴奏時には、図中のＡ＝Ｂとなるように制御される。つまり、マイク音声をマイク２が受音し、このマイク受音信号をアンプ３で増幅し、音声Ａ／Ｄ４でデジタル変換し、これをマイク音声エンコーダ５でエンコードし、音声Ａ／Ｄ６でアナログ信号に変換してミキサ１０に出力する。このミキサ１０には、メモリａの伴奏データがメモリＩ／Ｆ１３、データデコーダ１４、伴奏Ｄ／Ａ７を介してアナログの伴奏信号が出力されており、マイク音声信号と伴奏信号とがミキシングされたカラオケ信号（入力信号Ｂともいう）として選択回路２３に出力される。このとき、マイコン２３によってＡ＝Ｂとされている場合は、出力Ａがマイク音声信号と伴奏信号とからなるカラオケ信号（Ｂ）でアンプ８を介してスピーカ９に出力されることになる。
【００１０】
また、記録時にはＡ＝Ｂとされると共にＣ＝Ｂとされる。つまり、記録出力Ｃはカラオケ信号（Ｂ：マイク音声信号と伴奏信号）に選択され、これが音声記録Ａ／Ｄ２０、音声記録エンコーダ１９、メモリＩ／Ｆ１３を介してメモリａに記録データとして保存される。すなわち、マイク音声データと伴奏データとがメモリｂに保存されることになる。
【００１１】
さらに、記録データの再生時にはＡ＝Ｄとなるようにマイコン２４によって制御されている場合は、選択回路２３がメモリｂの記録データ（マイク音声データ、伴奏データ）ＤをメモリＩ／Ｆ１３、音声再生デコーダ２１、音声再生Ｄ／Ａ２２を介して入力し、これを出力信号Ａ（＝Ｄ）でアンプ８を介してスピーカ９に出力する。
【００１２】
なお、メモリａのカラオケの伴奏データに記録可の情報が付与されている場合にのみにおいて、マイコン２４が記録動作を可能に制御している。
【００１３】
一方、第２８８０６２４号公報の特許文献は、記録媒体に記録された曲の著作権情報に対応した録音可否の情報をメモリに記憶し、選曲された曲をメモリの録音可否の情報に基づいて判断し、録音不可であるときは、選曲された曲を再生し、録音指示があっても録音不可であれば録音を許可しないようにしたカラオケ再生装置である。
【特許文献１】特許番号  第２８８０６２４号公報
【発明の開示】
【発明が解決しようとする課題】
【００１４】
しかしながら、近年、カラオケ装置に収録された伴奏のデータはディジタル化されると共に、コピー（記録）は禁止とされたコンテンツが大半となる状況であって、記録が自由に可能であるカラオケ装置の伴奏データは非常に少なくなっているのが現状である。
【００１５】
また、従来の記録再生可能なカラオケ装置においては、このカラオケ装置が再生する伴奏とマイクで集音するマイク音声とを同時にメモリｂに記録するので、記録される収録データのサイズが大きくなり、比例して収録データを記録する記録媒体の容量も大きい物が必要になり、ひいてはカラオケ装置のコストアップを招いていた。
【００１６】
本発明は、上記に鑑みてなされたもので、その目的とするところは、マイク音声のみを記録することにより、著作権にて保護された伴奏データを記録することを回避し、正規の伴奏を再生可能な音声記録装置においてのみ、記録したマイク音声を記憶できると共に伴奏データと同期して再生可能とすることにより、著作権を侵害することなくマイク音声と伴奏データを同時に再生可能な音声記録再生装置を提供する。
【００１７】
すなわち、カラオケの歌唱中において記録指示があっても、マイク音声のみを記録することにより、記録媒体の容量を小さくすることでコストを抑え、かつ著作権を保護できる音声記録再生装置を得ることを目的とする。
【課題を解決するための手段】
【００１８】
課題を解決するために、本発明は、伴奏データ、歌詞データ及び画像データを含むカラオケ情報をメモリする第１のメモリと、マイクロフォンを介した音声データをデータ圧縮して第２のメモリにメモリするためのマイク音声エンコーダと、音声エンコード後の音声データをデータ伸張して再生する音声再生デコーダと、前記音声データ及び伴奏データをアナログ変換して合成してスピーカに送出するオーディオ部と、前記画像データ及び歌詞データをアナログ変換して合成してディスプレイに表示させる画像表示部とを有する音声記録再生装置において、前記マイク音声エンコーダからの前記マイク音声データをエンコードして出力するマイク音声記録エンコーダと、前記伴奏データ、歌詞データ及び画像データをデコードし、前記伴奏データは前記オーディオ部に、前記歌詞データ及び画像データは前記画像表示部に出力するデータデコーダと、前記第２のメモリからのマイク音声データをデコードして、出力する音声再生デコーダと、前記第１及び第２のメモリと前記マイク音声エンコーダと前記マイク音声記録エンコーダと前記マイク音声再生デコーダとの間に設けられ、読出し、前記第１及び第２のメモリのデータに対して書き込み及び出力の制御を行うメモリ制御部と、前記マイク音声エンコーダからのマイク音声データを前記音声記録エンコーダと共に入力する一方、前記音声再生デコーダからのマイク音声データを入力し、入力する選択指示に基づいて、いずれか一方のマイク音声データを前記オーディオ部に送出する選択回路と、記録指示の入力に伴って、前記メモリ制御部を制御して前記音声記録エンコーダからのマイク音声データを前記第２のメモリに記録させると共に、前記選択回路の出力を前記マイク音声エンコーダからのマイク音声データで出力させる前記選択指示を出力する手段と、再生指示が入力したときは、前記第１のメモリから該当のマイク音声データを読出し、該読出しに同期して、そのマイク音声データに対応する前記伴奏データを読出し、前記データデコーダに前記カラオケデータ情報を送出させると共に、前記選択回路の出力を、前記音声再生デコーダからのマイク音声データで出力させる前記選択指示を出力する手段とを備えたことを要旨とする。
【発明の効果】
【００１９】
本発明によれば、記録時にはマイク音声のみを第２のメモリに記録することにより、著作権にて保護された伴奏の記録を回避し、再生時には第１のメモリからマイク音声の記録時の伴奏を一緒に再生する。
【００２０】
このため、再生正規の伴奏を所有している音声記録再生装置においてのみ記録したマイク音声を伴奏と同期して再生可能とするので、著作権を侵害することなくマイク音声と伴奏を同時に再生することができるという効果が得られている。
【００２１】
また、マイク音声のみを記録するので、記録媒体の容量を小さくすることができ、低コストで構成可能な音声記録再生装置を提供することができる。
【発明を実施するための最良の形態】
【００２２】
図１は本実施の形態のカラオケ装置（音声記録再生装置ともいう）の概略構成図である。本実施の形態のカラオケ装置３０は、マイク２、アンプ３、音声ＡＤ４、マイク音声エンコーダ５を介してのマイク音声データを音声記録エンコーダ１９ａが直接入力して記録時にマイコン３１がメモリＩＦ１３ａを制御してメモリｂに記録させると共に選択回路２３ａを制御して、このマイク音声データを出力してデコーダ１４ａからの伴奏データとミキサ１０で合成してスピーカから流させる。また、録音再生には、メモリｂからのマイク音声データｄを音声再生デコーダ２１ａから直接、選択回路２３ａに送出させると共に、選択回路２３の出力を切り換えてマイク音声データｄとして出力し、このマイク音声データｄとメモリａの伴奏データとを合成させてスピーカ９から流させるものである。
【００２３】
このカラオケ装置３０は、音声信号を集音して電気信号に変換（以下マイク音声信号という）するマイク２と、マイク２からのマイク音声信号を増幅するアンプ３と、マイク音声信号をデジタル信号へ変換（以下マイク音声データという）するための音声Ａ／Ｄ４と、マイク音声データをエンコードするマイク音声エンコーダ５とを備えている。
【００２４】
また、後述する選択回路２３ａからの出力Ａをアナログに変換する音声Ｄ／Ａ６と、データデコーダ１４ａからの伴奏データをアナログに変換する伴奏Ｄ／Ａ７と、音声Ｄ／Ａ６からのマイク音声信号と伴奏Ｄ／Ａ７からの伴奏信号とをミキシングするミキサ１０と、ミキサ１０からの合成信号を増幅してスピーカ９に出力するアンプ９とを備えている。
【００２５】
また、メモリａからのカラオケデータ、メモリｂからのマイク音声データ、キー及びテンポをマイコン３１からの指示によって、所定の形式で取り出するメモリＩ／Ｆ１３ａと、メモリＩ／Ｆ１３ａからのカラオケデータ（伴奏、歌詞、画像）をデコードし、伴奏データは伴奏Ｄ／Ａ７に、画像データは画像Ｄ／Ａ１６に、歌詞データは歌詞表示部１５に送出するデータデコード１４とを備えている。
【００２６】
また、マイク音声エンコーダ５からのマイク音声データをメモリＩ／Ｆ１３ａを介してメモリｂに記録させる音声記録エンコーダ１９ａを備えている。
【００２７】
すなわち、マイク音声エンコーダ５のマイク音声データを直接、音声記録エンコーダ１９ａが入力している。つまり、従来のように、音声Ｄ／Ａ６からのマイク音声信号（アナログ）と伴奏Ｄ／Ａ７からの伴奏信号（アナログ）とを合成したものを選択回路２３ａへの入力としないで、マイク音声データ（デジタル）のみを直接、音声記録エンコーダ１９ａに出力させて、音声のみが記録されるようにしている。
【００２８】
また、メモリｂからのマイク音声データを再生して選択回路２３ａに出力する音声再生エンコーダ２１ａとを備えている。
【００２９】
選択回路２３ａは、マイコン３１によって制御され、マイク音声エンコーダ５からのマイク音声データｂを第１入力端子に入力し、録音出力ｄを第２端子から出力し、第３単位にマイコンの選択信号を入力し、第４端子から出力ａを出力する。
【００３０】
例えば、マイコン３１が通常の再生モード、録音モードと判定しているときは、第１端子と第４の出力端子とを選択し、マイク音声データｂを第４出力端子から出力ａ（ａ＝ｂ）として出力する。また、録音再生モードのときは、第２端子と第４端子とを選択し、メモリｂの録音再生データｄを第４端子から出力ａ（ａ＝ｄ）として出力する。
【００３１】
ここで、メモリａ、メモリｂの構成を説明する。メモリａには、カラオケ曲を識別するためのカラオケＩＤに、伴奏データと、歌詞データと、画像データとをリンク付けしたカラオケデータが多数記憶されている。
【００３２】
また、メモリｂには、操作部２５によって録音とされたときの録音データが保存されている。例えば、録音曲を識別するための録音ＩＤと、カラオケ曲を歌うときの操作部２５からのキー及びテンポと、カラオケ曲のカラオケＩＤと、カラオケでのマイク音声データとがリンク付けされて保存される。また、メモリｃのカラオケ機器固有ＩＤ（以下単に機器ＩＤという）がリンク付けされ、この音声記録再生装置３０によらなければ、再生ができないようにされている。
【００３３】
前述の音声Ｄ／Ａ６と、伴奏Ｄ／Ａ７と、ミキサ６と、アンプ８と、スピーカ９とを総称してオーディオ部と称する場合もある。
また、前述の画像ＤＡ１６と、歌詞表示部１５と、ミキサ１７と、ディスプレイとを総称して画像オーディオ部と称する場合もある。
【００３４】
（マイコンの詳細構成）
マイコン３１は、図１に示すように、モード判定部３５と、マイク音声記録指示部３６と、マイク音声記録指示部３７と、ＩＤ生成部３８と、録音音声選択指示部３９と、通常再生部４０と、録音再生データ指示部４１とを備えている。
【００３５】
モード判定部３５は、操作部２５から入力されたモードが通常の再生モードか又は記録再生モードかあるいは録音モードかを判定し、録音モードの場合はマイク音声選択指示部３７、マイク音声記録指示部３６を起動させる。
【００３６】
また、通常の再生モードの場合は、通常再生部４０を起動させる。さらに、録音再生モードの場合は、録音音声選択指示部３９及び録音再生指示部４１を起動させる。
【００３７】
マイク音声選択指示部３６は、録音モードと判定されたときに起動し、選択回路２３ａに第１端子と第４端子とを接続させ、マイク音声エンコーダ５からのマイク音声データｂを音声Ｄ／Ａ６に出力させる。すなわち、選択回路２３ａからの出力ａをｂにする。
【００３８】
また、マイク音声記録指示部３７は、録音モードと判定されたときに起動し、メモリＩ／Ｆ１３ａに対して音声記録エンコーダ１９ａの出力をメモリｂに記録させるためのメモリ選択信号（メモリｂ）を出力する。このとき、マイク音声記録指示部３７は、ＩＤ生成部３８を起動させて、ＩＤを生成させ、このＩＤを記録ＩＤとし、この記録ＩＤに操作部２５からのカラオケ歌唱時のテンポとキーとをリンク付けして出力し、かつ機器ＩＤをリンク付けさせる命令をメモリＩ／Ｆ１３ａに出力している。
【００３９】
録音音声選択指示部３９は、録音再生と判定されたときに起動し、選択回路２３ａに対して第２端子と第４端子とを接続させて、音声再生デコーダ２１からの再生音声データｄを音声Ｄ／Ａ６に出力させる。すなわち、選択回路２３ａの出力ａをｄにする。
【００４０】
また、録音再生データ指示部４１は、録音再生モードと判定されたときに起動し、メモリＩ／Ｆ６に対してメモリｂ及びメモリａの操作部８からの録音ＩＤに一致する録音ＩＤにリンク付けされているキーとテンポと、カラオケＩＤ及びマイク音声データを引き当てさせると共にメモリａからカラオケＩＤにリンク付けされているカラオケデータを引当させ、かつ音声再生デコーダ２１、データデコーダ１４ａに出力させるための信号（録音ＩＤ、メモリｂ、メモリａ、音声再生デコーダ２１、データデコーダ）を出力する。
【００４１】
また、録音再生データ指示部４１は、メモリｂの録音ＩＤにメモリｃの機器ＩＤが記憶されているかどうかをメモリＩ／Ｆ１３ａを介して判断し、機器Ｉｄが記憶されているときに、前述の信号を出力するのが好ましい。
【００４２】
また、通常再生部４０は、通常再生モードと判定されたときに起動し、操作部２５からのカラオケＩＤに対応するカラオケデータをメモリａからメモリＩ／Ｆ１３ａによってデコーダ１４に送出させると共に、選択回路２３ａに対して、第１端子と第４端子とを接続させ、マイク音声エンコーダ５からのマイク音声データｂを音声Ｄ／Ａ６に出力させる。すなわち、選択回路２３ａからの出力ａをｂにして伴奏と共にスピーカ２９から流し、かつ歌詞、画像をディスプレイに表示させる。
【００４３】
上記のように構成された音声記録再生装置について以下に図を用いて動作を説明する。
【００４４】
図２は本実施の形態の音声記録再生装置の動作を説明するフローチャートである。
【００４５】
マイコン３１のモード判定部３５は、操作部２５によって設定されたモードを判定する（Ｓ１）。通常モードと判定したときは、通常再生部４０が操作部２５からのカラオケＩＤ（曲番号）を読み込む（Ｓ２）。
【００４６】
（通常モードの説明）
次に、メモリＩ／Ｆ１３ａによってメモリａからカラオケＩＤにリンク付けされているカラオケデータをデータデコーダ１４ａに出力させる（Ｓ３）。これによって、データデコーダ１４ａは、カラオケデータの伴奏データ（圧縮）をデコードし、ＰＣＭデジタルデータ等の非圧縮データとして復元し、これを伴奏Ｄ／Ａ７に出力する。また、歌詞をデコードして歌詞表示部１５に出力する。さらに、画像データをデコードし、非圧縮画像データとして画像Ｄ／Ａ１６に出力する。
【００４７】
また、通常再生部４０は、選択回路２３ａに対して、マイク音声エンコーダ５からのマイク音声データｂを音声Ｄ／Ａ６に出力させる（Ｓ４）。
【００４８】
一方、マイク２からのマイク音声信号はアンプ３を介して音声Ａ／Ｄ４に出力されて、デジタル変換され、マイク音声エンコーダ１９から選択回路２３ａ及び音声記録エンコーダ１９ａに出力させる（Ｓ５）。このとき音声記録エンコーダ１９ａの動作を停止させている。
【００４９】
そして、伴奏Ｄ／Ａ７からの伴奏信号と音声Ｄ／Ａ６からのマイク音声信号とをミキサ１０でミキシングさせてアンプ８を介してスピーカ９から流す（Ｓ６）。
【００５０】
すなわち、信号Ｂとなってスピーカから流れることになる。
次に、画像Ｄ／Ａ１６からの画像信号と歌詞表示部１５からの歌詞信号とをミキサ１７でミキシングしてディスプレイ１８に表示させる（Ｓ７）。
【００５１】
次に、通常の再生の終了が操作部２５から入力したかどうかを判断し（Ｓ８）、入力した場合は、処理を終了し、入力しない場合は処理をステップＳ１に戻す。
【００５２】
（録音モードの説明）
また、ステップＳ１において、モード判定部３５が録音モードと判定したときは、マイク音声記録指示部３７は、ＩＤ生成部３８を起動させ、ＩＤを生成させる（Ｓ１０）。そして、操作部２５からのカラオケ歌唱時のテンポとキーとを読込む（Ｓ１１）。次に、マイク音声選択指示部３６は、選択回路２３ａに対してマイク音声エンコーダ５からのマイク音声データｂを音声Ｄ／Ａ６に出力させる。
【００５３】
また、マイク音声記録指示部３７は、メモリＩ／Ｆ１３ａに対して音声記録エンコーダ１９ａの出力をメモリｂに記録させるためのメモリ選択信号（メモリｂ）を出力して、マイク音声データをメモリｂに記憶する（Ｓ１２）。このとき、マイク音声記録指示部３７は、記録ＩＤにカラオケ歌唱時のテンポとキーとをリンク付けして記録させる。次に、マイク音声記録指示部３７が録音の終了かどうかを判断し（Ｓ１３）、終了でないときは処理をステップＳ１２に戻す。
【００５４】
次に、ステップＳ１３で録音の終了と判断したときは、マイク音声記録指示部３７は、メモリｂのマイク音声データに記録ＩＤとカラオケ歌唱時のテンポとキーとをリンク付けして記録させる（Ｓ１４）。すなわち、図３に示すように、録音時にはマイク音声のみがメモリｂに記録（記録ＩＤとカラオケＩＤ付加）される。
【００５５】
（録音再生の説明）
さらに、ステップＳ１において、録音の再生モードと判断したときは、操作部からの録音ＩＤと機器ＩＤとを読み込む（Ｓ１８）。
【００５６】
次に、この録音ＩＤ及び機器ＩＤとメモリｂに記憶されている録音ＩＤ及び機器ＩＤと照合し、録音ＩＤと機器ＩＤとが一致、あるいは録音ＩＤのみが一致するかどうかを判断する（Ｓ１９）。
【００５７】
ステップＳ１９で一致と判定したときは、録音ＩＤに対応するメモリａのカラオケＩＤを読み（Ｓ２０）、このカラオケＩＤにリンク付けされているメモリａのカラオケデータの伴奏を読み込み出力させる（Ｓ２１）。
【００５８】
そして、メモリｂから録音ＩＤのマイク音声データを出力する（Ｓ２２）。そして、再生終了かどうかを判断し（Ｓ２３）、終了でないときは処理をステップＳ２１に戻す。
【００５９】
すなわち、録音再生時には操作部２５から入力された録音ＩＤに一致するメモリｂの録音ＩＤにリンク付けされているメモリａのカラオケＩＤのカラオケデータの伴奏データがメモリＩ／Ｆ１３ａによりデータデコーダ１４ａを介して伴奏Ｄ／Ａ７に出力される。
【００６０】
このカラオケデータの出力に同期して、メモリｂのマイク音声データｄがメモリＩ／Ｆ１３ａにより音声再生デコーダ２１を介して選択回路２３ａに入力する。選択回路２３ａはステップＳ２２の処理で出力ａが入力ｄを選択しているので、マイク音声データを出力ａから送出することになる。
【００６１】
従って、図４に示すように、ミキサ１０でメモリｂのマイク音声データと伴奏データとがミキシングされてアンプに出力されてスピーカからながれる。
【００６２】
また、メモリｂに記憶するマイク音声データは、ＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）などの圧縮・伸長動作を行い、メモリｂに書き込むデータの大きさを小さくしても良い。
【図面の簡単な説明】
【００６３】
【図１】本実施の形態のカラオケ装置の概略構成図である。
【図２】本実施の形態の動作を説明するフローチャートである。
【図３】本実施のマイク音声の記録を説明する説明図である。
【図４】本実施の形態のマイク音声と伴奏の再生を説明する説明図である。
【図５】従来のカラオケ装置を説明するための概略の構成図を示す。
【符号の説明】
【００６４】
２  マイク
３  アンプ
４  音声Ａ／Ｄ
５  マイク音声エンコーダ
６  音声Ｄ／Ａ
１４  データデコーダ
２３  選択回路
３１  マイコン
３５  モード判定部
３６  マイク音声記録指示部
３７  マイク音声記録指示部
３８  ＩＤ生成部
３９  録音音声選択指示部
４０  通常再生部
４１  録音再生データ指示部
【図１】
2005189535.tif 000003
【図２】
2005189535.tif 000004
【図３】
2005189535.tif 000005
【図４】
2005189535.tif 000006
【図５】
2005189535.tif 000007